(57)【要約】【課題】非使用時に摩擦部が汚れることを防止できる熱変色性筆記具を提供する。【解決手段】本発明の熱変色性筆記具は、筒状の本体２に、熱変色性インキの筆跡を摩擦しその際に生じる摩擦熱で該筆跡を熱変色可能な低摩耗性の弾性材料からなる摩擦部３を備え、且つ、内部に熱変色性インキが収容される。筒状の本体２の側壁外面に摩擦部３を設ける。筒状の本体２の側壁外面に軸方向に移動可能な保護部材４を設ける。摩擦部３の非使用時、保護部材４が摩擦部３の径方向外面を覆い、前記摩擦部３の使用時、前記保護部材４を前記摩擦部３から下方に離れた位置に配置させ、前記摩擦部３の径方向外面を外部に露出させる。【選択図】  図１
2015009419.tif 000002
【特許請求の範囲】
【請求項１】
筒状の本体に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具であって、前記筒状の本体の側壁外面に前記摩擦部を設け、前記筒状の本体の側壁外面に軸方向に移動可能な保護部材を設け、前記摩擦部の非使用時、前記保護部材が前記摩擦部の径方向外面を覆い、前記摩擦部の使用時、前記保護部材を前記摩擦部から下方に離れた位置に配置させ、前記摩擦部の径方向外面を外部に露出させてなることを特徴とする熱変色性筆記具。
【請求項２】
前記本体の側壁外面に取付凸部を設け、前記保護部材が、前記取付凸部に軸方向に移動可能に取り付けられる取付部と、摩擦部の使用時に前記取付凸部の径方向外面を覆い且つ摩擦部の非使用時に摩擦部の径方向外面を覆う被覆部とを備える請求項２記載の熱変色性筆記具。
【請求項３】
前記取付凸部が、前記摩擦部を通る同一軸線上の、前記摩擦部より下方位置に設けられる請求項２記載の熱変色性筆記具。
【請求項４】
前記取付凸部の径方向の高さが、前記摩擦部の径方向の高さと略等しいか、または前記摩擦部の径方向の高さより高く設定される請求項３記載の熱変色性筆記具。
【請求項５】
前記取付凸部の周方向の幅寸法が、前記摩擦部の周方向の幅寸法と略等しいか、または前記摩擦部の周方向の幅寸法より大きく設定される請求項３または４記載の熱変色性筆記具。
【請求項６】
前記保護部材と前記本体の側壁外面との間に摩擦部被覆状態を一時的に保持する第１の係止部を設け、且つ、前記保護部材と前記本体側壁外面との間に摩擦部露出状態を一時的に保持する第２の係止部を設けた請求項１乃至５の何れかに記載の熱変色性筆記具。
【発明の詳細な説明】
【技術分野】
【０００１】
本発明は、筒状の本体に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具に関する。
【背景技術】
【０００２】
従来、熱変色性筆記具において、軸胴の後端やキャップの頂部に摩擦体を設ける構成が開示されている。（例えば、特許文献１）。
【先行技術文献】
【特許文献】
【０００３】
【特許文献１】特開平２００７−２２３３０２号公報
【発明の概要】
【発明が解決しようとする課題】
【０００４】
前記特許文献１の熱変色性筆記具は、非使用時、ペンケース、ペン立て、または衣服のポケット等に収納して保管すると、摩擦部が常に外部に露出しているため、摩擦部が、他の物品（例えば、他の筆記具外面、ペンケースの内面、ペン立ての底面、または衣服のポケット内面等）に接触することにより、摩擦部表面に塵や埃が付着し、摩擦部表面が汚れることがあり、その汚れた状態の摩擦部を用いて紙面（被筆記面）を摩擦すると、紙面が汚れてしまう不具合があった。
【０００５】
本発明は前記従来の問題点を解決するものであって、非使用時に摩擦部が汚れることを防止できる熱変色性筆記具を提供しようとするものである。
尚、本発明で、「上」とは、本体の摩擦部側を指し、「下」とは、その反対側を指す。
【課題を解決するための手段】
【０００６】
本願の第１の発明は筒状の本体２に、熱変色性インキの筆跡を摩擦しその際に生じる摩擦熱で該筆跡を熱変色可能な低摩耗性の弾性材料からなる摩擦部３を備え、且つ、内部に熱変色性インキを収容した熱変色性筆記具であって、前記筒状の本体２の側壁外面に前記摩擦部３を設け、前記筒状の本体２の側壁外面に軸方向に移動可能な保護部材４を設け、前記摩擦部３の非使用時、前記保護部材４が前記摩擦部３の径方向外面を覆い、前記摩擦部３の使用時、前記保護部材４を前記摩擦部３から下方に離れた位置に配置させ、前記摩擦部３の径方向外面を外部に露出させてなることを要件とする。
【０００７】
前記第１の発明の熱変色性筆記具１は、前記筒状の本体２の側壁外面に前記摩擦部３を設け、前記筒状の本体２の側壁外面に軸方向に移動可能な保護部材４を設け、前記摩擦部３の非使用時、前記保護部材４が前記摩擦部３の径方向外面を覆い、前記摩擦部３の使用時、前記保護部材４を前記摩擦部３から下方に離れた位置に配置させ、前記摩擦部３の径方向外面を外部に露出させてなることにより、非使用時、ペンケース、ペン立て、または衣服のポケット等に収納して保管しても、保護部材４により摩擦部３が、他の物品（例えば、他の筆記具外面、ペンケースの内面、ペン立ての底面、または衣服のポケット内面等）に接触することが回避され、非使用時に摩擦部３が汚れることを防止できる。尚、本発明で筒状の本体２とは、例えば、一端にペン先を備え且つ内部に熱変色性インキを収容した軸筒、または該軸筒のペン先側に着脱自在に装着されるキャップ等が挙げられる。
【０００８】
本願の第２の発明は、前記第１の発明の熱変色性筆記具１において、前記本体２の側壁外面に取付凸部２１を設け、前記保護部材４が、前記取付凸部２１に軸方向に移動可能に取り付けられる取付部４２と、摩擦部３の使用時に前記取付凸部２１の径方向外面を覆い且つ摩擦部３の非使用時に摩擦部３の径方向外面を覆う被覆部４１とを備えることを要件とする。
【０００９】
前記第２の発明の熱変色性筆記具１は、前記本体２の側壁外面に取付凸部２１を設け、前記保護部材４が、前記取付凸部２１に軸方向に移動可能に取り付けられる取付部４２と、摩擦部３の使用時に取付凸部２１の径方向外面を覆い且つ摩擦部３の非使用時に摩擦部３の径方向外面を覆う被覆部４１を備えることにより、保護部材４を本体２に適正に取り付けることができるとともに、摩擦部非使用時に保護部材４で摩擦部３を適正に被覆できる。
【００１０】
本願の第３の発明は、前記第２の発明の熱変色性筆記具１において、前記取付凸部２１が、前記摩擦部３を通る同一軸線上の、前記摩擦部３より下方位置に設けられることを要件とする。
【００１１】
前記第３の発明の熱変色性筆記具１は、前記取付凸部２１が、前記摩擦部３を通る同一軸線上の、前記摩擦部３より下方位置に設けられることにより、摩擦部非使用時に保護部材４で摩擦部３を適正に被覆できる。
【００１２】
本願の第４の発明は、前記第３の発明の熱変色性筆記具１において、前記取付凸部２１の径方向の高さが、前記摩擦部３の径方向の高さと略等しいか、または前記摩擦部３の径方向の高さより高く設定されることを要件とする。
【００１３】
前記第４の発明の熱変色性筆記具１は、前記取付凸部２１の径方向の高さが、前記摩擦部３の径方向の高さと略等しいか、または前記摩擦部３の径方向の高さより高く設定されることにより、摩擦部露出状態から保護部材４を上方に移動させた際、保護部材４が摩擦部３に引っかかることなく、保護部材４で摩擦部３を適正かつ確実に被覆できる。
【００１４】
本願の第５の発明は、前記第３または第４の発明の熱変色性筆記具１において、前記取付凸部２１の周方向の幅寸法が、前記摩擦部３の周方向の幅寸法と略等しいか、または前記摩擦部３の周方向の幅寸法より大きく設定されることを要件とする。
【００１５】
前記第５の発明の熱変色性筆記具１は、前記取付凸部２１の周方向の幅寸法が、前記摩擦部３の周方向の幅寸法と略等しいか、または前記摩擦部３の周方向の幅寸法より大きく設定されることにより、摩擦部露出状態から保護部材４を上方に移動させた際、保護部材４が摩擦部３に引っかかることなく、保護部材４で摩擦部３を適正かつ確実に被覆できる。
【００１６】
本願の第６の発明は、前記第１乃至第５の発明の熱変色性筆記具１において、前記保護部材４と前記本体２の側壁外面との間に摩擦部被覆状態を一時的に保持する第１の係止部５を設け、且つ、前記保護部材４と前記本体２の側壁外面との間に摩擦部露出状態を一時的に保持する第２の係止部６を設けたことを要件とする。
【００１７】
前記第６の発明の熱変色性筆記具１は、前記保護部材４と前記本体２の側壁外面との間に摩擦部被覆状態を一時的に保持する第１の係止部５を設け、且つ、前記保護部材４と前記本体２側壁外面との間に摩擦部露出状態を一時的に保持する第２の係止部６を設けたことにより、第１の係止部５により安定した摩擦部３被覆状態の維持が可能となり、第２の係止部６により安定した摩擦操作が可能となる。
【００１８】
本発明において、前記摩擦部３を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部３を構成する弾性を有する合成樹脂は、高摩耗性の弾性材料（例えば、消しゴム等）ではなく、摩擦時に摩耗カス（消しカス）が殆ど生じない低摩耗性の弾性材料である。本発明において、前記保護部材４は、合成樹脂（例えば、ポリカーボネイト、ポリエチレン、ポリプロピレン、ポリアセタール、ＡＢＳ樹脂等）または金属から構成されることが好ましい。また、前記本体２は、合成樹脂（例えば、ポリカーボネイト、ポリエチレン、ポリプロピレン、ポリアセタール、ＡＢＳ樹脂等）または金属から構成されることが好ましい。
【発明の効果】
【００１９】
本発明の熱変色性筆記具は、非使用時に摩擦部が汚れることを防止できる。
【図面の簡単な説明】
【００２０】
【図１】本発明の第１の実施の形態の摩擦部使用時の要部側面図である。
【図２】図１の要部正面図である。
【図３】図１のＡ−Ａ線拡大断面図である。
【図４】図１の取付部の拡大説明図である。
【図５】図１の摩擦部非使用時の要部側面図である。
【図６】図５の要部正面図である。
【図７】本発明の第２の実施の形態の摩擦部使用時の要部側面図である。
【図８】図７の要部正面図である。
【図９】図７のＢ−Ｂ線拡大断面図である。
【図１０】図７の取付部の拡大説明図である。
【図１１】図７の摩擦部非使用時の要部側面図である。
【図１２】図１１の要部正面図である。
【発明を実施するための形態】
【００２１】
＜第１の実施の形態＞
図１乃至図６の本発明の第１の実施の形態の熱変色性筆記具を示す。
本実施の形態の熱変色性筆記具１は、筒状の本体２と、摩擦部３と、保護部材４とを備える。
【００２２】
・本体
前記本体２は、円筒体であり、合成樹脂または金属により形成される。前記本体２は、例えば、内部に熱変色性インキが収容され且つ該熱変色性インキが吐出可能なペン先を一端に備えた軸筒である。具体的には、軸筒内に軸方向に移動可能に筆記体を収容し、前記筆記体が内部に熱変色性インキが収容され且つ該熱変色性インキが吐出可能なペン先を備え、軸筒の上端部に設けた操作部２２を前方に押圧操作することにより、軸筒の下端部よりペン先を出没させる構成である。前記本体２は、複数の部材により構成（例えば取付凸部２１を備えた第１の筒体と、該第１の筒体の下方に連結される第２の筒体の２部材）により構成されてもよいし、１部材により構成されてもよい。
【００２３】
・摩擦部
前記本体２の反ペン先側の端部（本体２の上端部側壁外面）に摩擦部３が設けられる。前記摩擦部３は略直方体形状に形成される。前記摩擦部３は、低摩耗性の弾性材料（例えば、シリコーン樹脂、ＳＢＳ樹脂、ＳＥＢＳ樹脂）からなり、前記本体２の上端部側壁外面に、嵌着、圧入、係着、螺着、接着等の手段により固定される。また、前記摩擦部３は、取付凸部２１の上端部に当接または前記手段により固定され、摩擦時の摩擦部３の後方移動を確実に阻止できる。
【００２４】
・取付凸部
前記本体２の側壁外面に略直方体形状の取付凸部２１が形成される。前記取付凸部２１は、前記摩擦部３を通る同一軸線上の、前記摩擦部３の下方に位置される。前記取付凸部２１の両側壁外面にはスライド溝２１ａが形成される。前記スライド溝２１ａの両端部には、係合突起４２ａが一時的に係合可能な乗り越え突起５１・６１が形成される。前記取付凸部２１の径方向の高さが、前記摩擦部３の径方向の高さと略等しいか、または前記摩擦部３の径方向の高さより高く設定される。前記取付凸部２１の周方向の幅寸法が、前記摩擦部３の周方向の幅寸法と略等しいか、または前記摩擦部３の周方向の幅寸法より大きく設定される。
【００２５】
・保護部材
前記保護部材４は、本体２の取付凸部２１に軸方向にスライド可能に取り付けられる。前記保護部材４は、被覆部４１と、取付部４２と、クリップ部４３（衣服のポケット等に挟持可能なクリップ部）とを備える。前記被覆部４１と前記取付部４２とは、横断面コ字状を有し、前記被覆部４１の両側より一対の取付部４２が一体に連設される。前記取付部４２の両内面には、係合突起４２ａが形成される。前記係合突起４２ａが前記スライド溝２１ａ内を摺動可能に設けられる。前記係合突起４２ａが、前記スライド溝２１ａの両端部の乗り越え突起５１・６１と一時的に係止可能である。また、前記被覆部４１と取付部４２は、クリップ部４３の基部となる。
【００２６】
本実施の形態において、前記係合突起４２ａが、前記スライド溝２１ａの両端部の乗り越え突起５１・６１と一時的に係止可能である。即ち、前記スライド溝２１ａの上端部の乗り越え突起５１と係合突起４２ａが第１の係止部５を構成し、前記スライド溝２１ａの上端部の乗り越え突起５１と係合突起４２ａが一時的に係止されたとき、摩擦部被覆状態が保持される。一方、前記スライド溝２１ａの下端部の乗り越え突起６１と係合突起４２ａが第２の係止部６を構成し、前記スライド溝２１ａの下端部の乗り越え突起６１と係合突起４２ａが一時的に係止されたとき、摩擦部露出状態が保持される。
【００２７】
本実施の形態の熱変色性筆記具１は、前記筒状の本体２の側壁外面に前記摩擦部３を設け、前記筒状の本体２の側壁外面に軸方向に移動可能な保護部材４を設け、前記摩擦部３の非使用時、前記保護部材４が前記摩擦部３の径方向外面を覆い、前記摩擦部３の使用時、前記保護部材４を前記摩擦部３から下方に離れた位置に配置させ、前記摩擦部３の径方向外面を外部に露出させてなることにより、非使用時、ペンケース、ペン立て、または衣服のポケット等に収納して保管しても、保護部材４により摩擦部３が、他の物品（例えば、他の筆記具外面、ペンケースの内面、ペン立ての底面、または衣服のポケット内面等）に接触することが回避され、非使用時に摩擦部３が汚れることを防止できる。
【００２８】
本実施の形態の熱変色性筆記具１は、前記本体２の側壁外面に取付凸部２１を設け、前記保護部材４が、前記取付凸部２１に軸方向に移動可能に取り付けられる取付部４２と、摩擦部３の使用時に取付凸部２１の径方向外面を覆い且つ摩擦部３の非使用時に摩擦部３の径方向外面を覆う被覆部４１とを備えることにより、保護部材４を本体２に適正に取り付けることができるとともに、摩擦部非使用時に保護部材４で摩擦部３を適正に被覆できる。
【００２９】
本実施の形態の熱変色性筆記具１は、前記取付凸部２１が、前記摩擦部３を通る同一軸線上の、前記摩擦部３より下方位置に設けられることにより、摩擦部非使用時に保護部材４で摩擦部３を適正に被覆できる。
【００３０】
本実施の形態の熱変色性筆記具１は、前記取付凸部２１の径方向の高さが、前記摩擦部３の径方向の高さと略等しいか、または前記摩擦部３の径方向の高さより高く設定されることにより、摩擦部露出状態から保護部材４を上方に移動させた際、保護部材４が摩擦部３に引っかかることなく、保護部材４で摩擦部３を適正かつ確実に被覆できる。
【００３１】
本実施の形態の熱変色性筆記具１は、前記取付凸部２１の周方向の幅寸法が、前記摩擦部３の周方向の幅寸法と略等しいか、または前記摩擦部３の周方向の幅寸法より大きく設定されることにより、摩擦部露出状態から保護部材４を上方に移動させた際、保護部材４が摩擦部３に引っかかることなく、保護部材４で摩擦部３を適正かつ確実に被覆できる。
【００３２】
本実施の形態の熱変色性筆記具１は、前記保護部材４と前記本体２の側壁外面との間に摩擦部被覆状態を一時的に保持する第１の係止部５を設け、且つ、前記保護部材４と前記本体２の側壁外面との間に摩擦部露出状態を一時的に保持する第２の係止部６を設けたことにより、第１の係止部５により安定した摩擦部被覆状態の維持が可能となり、第２の係止部６により安定した摩擦操作が可能となる。
【００３３】
＜第２の実施の形態＞
図７乃至図１２の本発明の第２の実施の形態の熱変色性筆記具１を示す。
本実施の形態の熱変色性筆記具１は、筒状の本体２と、摩擦部３と、保護部材４とを備える。
【００３４】
・本体
前記本体２は、円筒体であり、合成樹脂または金属により形成される。前記本体２は、例えば、前記軸筒のペン先側に着脱自在のキャップであり、前記軸筒が、内部に熱変色性インキが収容され且つ該熱変色性インキが吐出可能なペン先を一端に備える。
【００３５】
・摩擦部
前記本体２の頂部側壁外面（本体２の上端部側壁外面）に摩擦部３が設けられる。前記摩擦部３は、低摩耗性の弾性材料（例えば、シリコーン樹脂、ＳＢＳ樹脂、ＳＥＢＳ樹脂）からなり、前記本体２の上端部側壁外面に固定される。また、前記摩擦部３は、取付凸部２１の上端部に当接され、摩擦時の摩擦体の後方移動を確実に阻止できる。
【００３６】
・取付凸部
前記本体２の側壁外面に略直方体形状の取付凸部２１が形成される。前記取付凸部２１は、前記摩擦部３を通る同一軸線上の、前記摩擦部３の下方に位置される。前記取付凸部２１の両側壁外面にはスライド溝２１ａが形成される。前記スライド溝２１ａの両端部には、係合突起４２ａが一時的に係合可能な乗り越え突起５１・６１が形成される。前記取付凸部２１の径方向の高さが、前記摩擦部３の径方向の高さと略等しいか、または前記摩擦部３の径方向の高さより高く設定される。前記取付凸部２１の周方向の幅寸法が、前記摩擦部３の周方向の幅寸法と略等しいか、または前記摩擦部３の周方向の幅寸法より大きく設定される。
【００３７】
・保護部材
前記保護部材４は、本体２の取付凸部２１に軸方向にスライド可能に取り付けられる。前記保護部材４は、被覆部４１と、取付部４２と、クリップ部４３（衣服のポケット等に挟持可能なクリップ部）とを備える。前記被覆部４１と前記取付部４２とは、横断面コ字状を有し、前記被覆部４１の両側より一対の取付部４２が一体に連設される。前記取付部４２の両内面には、係合突起４２ａが形成される。前記係合突起４２ａが前記スライド溝２１ａ内を摺動可能に設けられる。前記係合突起４２ａが、前記スライド溝２１ａの両端部の乗り越え突起５１・６１と一時的に係止可能である。また、前記被覆部４１と取付部４２は、クリップ部４３の基部となる。
【００３８】
本実施の形態において、前記係合突起４２ａが、前記スライド溝２１ａの両端部の乗り越え突起５１・６１と一時的に係止可能である。即ち、前記スライド溝２１ａの上端部の乗り越え突起５１と係合突起４２ａが第１の係止部５を構成し、前記スライド溝２１ａの上端部の乗り越え突起５１と係合突起４２ａが一時的に係止されたとき、摩擦部被覆状態が保持される。一方、前記スライド溝２１ａの下端部の乗り越え突起６１と係合突起４２ａが第２の係止部６を構成し、前記スライド溝２１ａの下端部の乗り越え突起６１と係合突起４２ａが一時的に係止されたとき、摩擦部露出状態が保持される。
【００３９】
本実施の形態の熱変色性筆記具１は、前記筒状の本体２の側壁外面に前記摩擦部３を設け、前記筒状の本体２の側壁外面に軸方向に移動可能な保護部材４を設け、前記摩擦部３の非使用時、前記保護部材４が前記摩擦部３の径方向外面を覆い、前記摩擦部３の使用時、前記保護部材４を前記摩擦部３から下方に離れた位置に配置させ、前記摩擦部３の径方向外面を外部に露出させてなることにより、非使用時、ペンケース、ペン立て、または衣服のポケット等に収納して保管しても、保護部材４により摩擦部３が、他の物品（例えば、他の筆記具外面、ペンケースの内面、ペン立ての底面、または衣服のポケット内面等）に接触することが回避され、非使用時に摩擦部３が汚れることを防止できる。
【００４０】
本実施の形態の熱変色性筆記具１は、前記本体２の側壁外面に取付凸部２１を設け、前記保護部材４が、前記取付凸部２１に軸方向に移動可能に取り付けられる取付部４２と、摩擦部３の使用時に取付凸部２１の径方向外面を覆い且つ摩擦部３の非使用時に摩擦部３の径方向外面を覆う被覆部４１とを備えることにより、保護部材４を本体２に適正に取り付けることができるとともに、摩擦部非使用時に保護部材４で摩擦部３を適正に被覆できる。
【００４１】
本実施の形態の熱変色性筆記具１は、前記取付凸部２１が、前記摩擦部３を通る同一軸線上の、前記摩擦部３より下方位置に設けられることにより、摩擦部非使用時に保護部材４で摩擦部３を適正に被覆できる。
【００４２】
本実施の形態の熱変色性筆記具１は、前記取付凸部２１の径方向の高さが、前記摩擦部３の径方向の高さと略等しいか、または前記摩擦部３の径方向の高さより高く設定されることにより、摩擦部露出状態から保護部材４を上方に移動させた際、保護部材４が摩擦部３に引っかかることなく、保護部材４で摩擦部３を適正かつ確実に被覆できる。
【００４３】
本実施の形態の熱変色性筆記具１は、前記取付凸部２１の周方向の幅寸法が、前記摩擦部３の周方向の幅寸法と略等しいか、または前記摩擦部３の周方向の幅寸法より大きく設定されることにより、摩擦部露出状態から保護部材４を上方に移動させた際、保護部材４が摩擦部３に引っかかることなく、保護部材４で摩擦部３を適正かつ確実に被覆できる。
【００４４】
本実施の形態の熱変色性筆記具１は、前記保護部材４と前記本体２の側壁外面との間に摩擦部被覆状態を一時的に保持する第１の係止部５を設け、且つ、前記保護部材４と前記本体２の側壁外面との間に摩擦部露出状態を一時的に保持する第２の係止部６を設けたことにより、第１の係止部５により安定した摩擦部被覆状態の維持が可能となり、第２の係止部６により安定した摩擦操作が可能となる。
【符号の説明】
【００４５】
１  熱変色性筆記具
２  本体
２１  取付凸部
２１ａ  スライド溝
２２  操作部
３  摩擦部
４  保護部材
４１  被覆部
４２  取付部
４２ａ  係合突起
４３  クリップ部
５  第１の係止部
５１  乗り越え突起
６  第２の係止部
６１  乗り越え突起
【図１】
2015009419.tif 000003
【図２】
2015009419.tif 000004
【図３】
2015009419.tif 000005
【図４】
2015009419.tif 000006
【図５】
2015009419.tif 000007
【図６】
2015009419.tif 000008
【図７】
2015009419.tif 000009
【図８】
2015009419.tif 000010
【図９】
2015009419.tif 000011
【図１０】
2015009419.tif 000012
【図１１】
2015009419.tif 000013
【図１２】
2015009419.tif 000014